(57)【要約】【課題】壁や天井等を構成する住宅のパネル材にコンセントボックスや小物等の備品を簡単に組み付けることができる備品組付構造及びこのような備品の固定に供される下地材を簡単にパネル材に組み付けることができる下地材組付構造を得る。【解決手段】壁パネル１２の互いに対向した石膏ボード３４の間に配置されるコンセントボックス３８は、マグネット５２が自らの磁力で横壁部２２に固定される。これにより、両石膏ボード３４の間における取付孔３６に対応した位置でコンセントボックス３８が固定される。このため、ねじやボルト等の締結作業が不要である。したがって、コンセントボックス３８の固定作業の作業効率が高く、コンセントボックス３８を極めて簡単に固定できる。【選択図】図１
2007285034.tif 000002
【特許請求の範囲】
【請求項１】
平板状又はシート状に形成された表面材と、この表面材を裏面側から支持する支持体と、を含んで構成されたパネル材と、
前記表面材に形成された孔部を通過可能とされた備品と、
前記備品に設けられると共に、前記備品が前記孔部を通過した状態で前記表面材の裏面側に位置し、磁力により前記支持体に吸着して前記備品を前記支持体に支持させる磁石と、
を備える備品組付構造。
【請求項２】
平板状又はシート状に形成された表面材が支持体により裏面側から支持されたパネル材と、
前記表面材の裏面側に配置されて、備品の固定に供される下地材と、
前記下地材に設けられると共に、磁力により前記支持体に吸着して前記下地材を前記支持体に支持させる磁石と、
を備える下地材組付構造。
【請求項３】
前記支持体は、前記パネル材の内側に互いに平行に立設された一対のスタッドであり、
当該一対のスタッド間に前記下地材を納めると共に、各スタッドに対応して前記磁石を前記下地材に設けたことを特徴とする請求項２に記載の下地材組付構造。
【発明の詳細な説明】
【技術分野】
【０００１】
本発明は、壁や天井等を構成する住宅のパネル材に備品を組み付けるための備品組付構造及びこのような備品の固定に供される下地材をパネル材に組み付けるための下地材組付構造に関する。
【背景技術】
【０００２】
例えば、下記特許文献１に開示された建造物のパネル状の壁材は、上下に向き合うように互いに平行に配置された一対のランナを備えている。これらのランナの長手方向一端部から他端部までの間には、複数のスタッドが所定間隔毎に配置されている。ランナ及びスタッドの幅方向側方には耐火ボードが配置されている。これらの耐火ボードのランナ及びスタッド側には複数の板状磁石が固定されており、この板状磁石の磁力によって耐火ボードがランナ及びスタッドに固定されている。
【特許文献１】実開平７−１１６１１号公報
【発明の開示】
【発明が解決しようとする課題】
【０００３】
ところで、以上のような構成の壁材には、例えば、給電用のコンセントボックスが設けられる。このようなコンセントボックスを固定するために耐火ボードの裏面側（すなわち、ランナ及びスタッドの側）には下地材が設けられる。下地材は、上記のランナやスタッドにねじやボルト等の締結手段により固定される。このように、ランナやスタッドに固定された下地材にコンセントボックスをねじやボルト等の締結手段により固定することで、壁材にコンセントボックスが取り付けられる。
【０００４】
しかしながら、ねじやボルトでランナやスタッドに下地材を固定する作業や、ねじやボルトで下地材にコンセントボックスを固定するための作業のような締結作業は煩雑で、作業性を向上させることが難しく、改良の余地が多分に残されていた。
【０００５】
本発明は、上記事実を考慮して、壁や天井等を構成する住宅のパネル材にコンセントボックスや小物等の備品を簡単に組み付けることができる備品組付構造及びこのような備品の固定に供される下地材を簡単にパネル材に組み付けることができる下地材組付構造を得ることが目的である。
【課題を解決するための手段】
【０００６】
請求項１に記載の本発明に係る備品組付構造は、平板状又はシート状に形成された表面材と、この表面材を裏面側から支持する支持体と、を含んで構成されたパネル材と、前記表面材に形成された孔部を通過可能とされた備品と、前記備品に設けられると共に、前記備品が前記孔部を通過した状態で前記表面材の裏面側に位置し、磁力により前記支持体に吸着して前記備品を前記支持体に支持させる磁石と、を備えている。
【０００７】
請求項１に記載の本発明に係る備品組付構造によれば、パネル材に備品を組み付ける際には、パネル材を構成する表面材に形成された孔部に備品が通過させられる。これにより、備品に設けられた磁石が表面材の裏面側に位置する。この磁石は表面材を支持する支持体に磁力によって吸着される。このように、磁石が支持体に吸着することで、備品が支持体に支持される。
【０００８】
ここで、本発明に係る備品組付構造では、上記のように、備品に設けられた磁石が支持体に吸着する構成であるため、これまで備品と支持体との間に介在させていた下地材が不要になる。このため、ねじやボルト等によって下地材を支持体に締結固定したり、下地材に備品を締結固定したり等の煩雑な締結作業を廃止できる。
【０００９】
また、備品を磁石で支持体に取り付ける構成であることから、備品を組み付けるにあたって工具が不要である。このため、備品組み付けの作業性を向上できる。
【００１０】
さらに、ねじやボルトで締結固定する構成とは異なり、備品を磁石で支持体に取り付ける構成であることから、支持体に備品を取り付けた後にも容易に取り外すことができる。このため、備品の位置調整が容易になり、備品組み付けの作業性を向上できる。
【００１１】
請求項２に記載の本発明に係る下地材組付構造は、平板状又はシート状に形成された表面材が支持体により裏面側から支持されたパネル材と、前記表面材の裏面側に配置されて、備品の固定に供される下地材と、前記下地材に設けられると共に、磁力により前記支持体に吸着して前記下地材を前記支持体に支持させる磁石と、を備えている。
【００１２】
請求項２に記載の本発明に係る下地材組付構造によれば、下地材はパネル材を構成する表面材の裏面側に設けられる。この下地材には磁石が設けられており、磁石が磁力によってパネル材を支持する支持体に吸着する。これにより、下地材が支持体に支持される。このようにして設けられた下地材に対応した位置で表面材の表面側から備品の一部や備品を支持するための部材が表面材を貫通して下地材に固定される。これにより、パネル材に備品等が組み付けられる。
【００１３】
ここで、本発明に係る下地材組付構造では、上記のように、下地材に設けられた磁石が支持体に吸着する構成であるため、ねじやボルト等によって下地材を支持体に締結固定しなくてもよく、煩雑な締結作業を廃止ができる。
【００１４】
また、下地材を磁石で支持体に取り付ける構成であることから、下地材を組み付けるにあたって工具が不要である。このため、下地材組み付けの作業性を向上できる。
【００１５】
さらに、ねじやボルトで締結固定する構成とは異なり、下地材を磁石で支持体に取り付ける構成であることから、支持体に下地材を取り付けた後にも容易に取り外すことができる。このため、下地材の位置調整が容易になり、下地材組み付けの作業性を向上できる。
【００１６】
請求項３に記載の本発明に係る下地材組付構造は、請求項２に記載の本発明において、前記支持体は、前記パネル材の内側に互いに平行に立設された一対のスタッドであり、当該一対のスタッド間に前記下地材を納めると共に、各スタッドに対応して前記磁石を前記下地材に設けたことを特徴としている。
【００１７】
請求項３に記載の本発明に係る下地材組付構造によれば、一対のスタッドの間に設けられた下地材には、各スタッドに対応して磁石が設けられる。一方の磁石は一対のスタッドの一方に吸着し、他方の磁石は一対のスタッドの他方に吸着する。このように、下地材は双方のスタッドに支持されるため、下地材の支持が強固になる。
【００１８】
また、一対のスタッドの間に下地材が設けられるため、双方のスタッドから離れた位置、例えば、双方のスタッドの間の中央でパネル材に備品を組み付けることができる。
【発明の効果】
【００１９】
以上説明したように、請求項１に記載の本発明に係る備品組付構造では、ねじやボルト等によって備品を下地材やパネル材の支持体に締結固定する作業が不要になるため、備品の組付作業性を向上できる。
【００２０】
請求項２に記載の本発明に係る下地材組付構造では、ねじやボルト等によって下地材をパネル材の支持体に締結固定する作業が不要になるため、下地材の組付作業性を向上できる。
【００２１】
請求項３に記載の本発明に係る下地材組付構造では、一対のスタッドの双方に下地材が磁石により取り付けられるため、下地材の支持が強固になる。
【発明を実施するための最良の形態】
【００２２】
＜第１の実施の形態の構成＞
次に、本発明に係る備品組付構造の一実施の形態を第１の実施の形態として説明する。図３には、本実施の形態を適用したスチールハウス用の壁パネル１２の構成の概略が正面図により示されている。
【００２３】
この図に示されるように、パネル材としての壁パネル１２は図示しないスチールハウスの天井に沿って水平に設けられたランナ１４を備えている。図４に示されるように、ランナ１４はウェブ１６を備えている。本実施の形態においてウェブ１６は、厚さ方向がスチールハウスの高さ方向に延びた平板状とされており、その幅方向両端部にはフランジ１８が形成されている。
【００２４】
フランジ１８はウェブ１６の幅方向両端部からウェブ１６の厚さ方向一方へ向けて延出された平板状の縦壁部２０を備えている。縦壁部２０のウェブ１６とは反対側の端部からは、ウェブ１６の幅方向中央側へ向けてウェブ１６に対して平行に横壁部２２が延出されている。すなわち、ランナ１４は全体的にスチールハウスの高さ方向下方へ向けて開口した断面Ｃ字形状のリップ型鋼により形成されている。
【００２５】
また、図３に示されるように、壁パネル１２は図示しないスチールハウスの床に沿って水平に設けられたランナ２４を備えている。ランナ２４は、基本的にランナ１４と同じ構成で、断面Ｃ字形状のリップ型鋼により形成され、ランナ１４に対して平行に設けられている。さらに、ランナ２４の断面形状の開口方向はランナ１４と対向するようにスチールハウスの高さ方向上方とされている。また、ランナ１４の長手方向一端部とランナ２４の長手方向一端部との間にはスチールスタッド２６が設けられており、ランナ１４の長手方向他端部とランナ２４の長手方向他端部との間にはスチールスタッド２８が設けられている。
【００２６】
スチールスタッド２６、２８の各々は、例えば、ウェブ１６の長手方向が図示しないスチールハウスの高さ方向に延びた断面Ｃ字形状のリップ型鋼により形成されている。ランナ１４、２４の長手方向一端部とスチールスタッド２６の長手方向上下端とは機械的に連結されていると共に、ランナ１４、２４の長手方向他端部とスチールスタッド２８の長手方向上下端とは機械的に連結され、これにより、ランナ１４、２４、スチールスタッド２６、２８は内外周形状がそれぞれ略長方形状形の枠状となっている。
【００２７】
また、ランナ１４、２４の長手方向中間部には、一対のスタッドとして各々が支持体を構成するスチールスタッド３０及びスチールスタッド３２が配置されている。スチールスタッド３０、３２は基本的にスチールスタッド２６、２８と同じ構成で、スチールスタッド３０、３２の各上端はランナ１４に機械的に連結されており、スチールスタッド３０、３２の各他端はランナ２４に機械的に連結されている。
【００２８】
一方、ランナ１４の幅方向両側には、表面材としての石膏ボード３４が設けられている。石膏ボード３４は、所謂「石膏」を主な材料として全体的に平板状に形成されており、ねじやボルト等の締結手段や接着剤等の固着手段によりランナ１４、２４、及び、スチールスタッド２６〜３２に締結固定されている。また、図１乃至図３の各々に示されるように、一方の石膏ボード３４には取付孔３６が形成されている。取付孔３６は略長方形状とされており、石膏ボード３４の厚さ方向に貫通している。さらに、本実施の形態では、取付孔３６はスチールスタッド３０の横壁部２２の近傍に形成されている。
【００２９】
さらに、図２に示されるように、両石膏ボード３４の間には、備品としてのコンセントボックス３８が設けられている。コンセントボックス３８は、例えば、全体的に強磁性を有する鉄等の金属によって形成されている。また、コンセントボックス３８は厚さ方向が一方の石膏ボード３４と他方の石膏ボード３４との対向方向に沿った矩形平板状の底壁４０を備えている。底壁４０の上端部からは取付孔３６が形成された石膏ボード３４の側へ向けて横壁４２が延出されており、底壁４０の下端部からは取付孔３６が形成された石膏ボード３４の側へ向けて横壁４４が横壁４２に対して平行に延出されている。
【００３０】
これに対して、底壁４０の幅方向一端部からは取付孔３６が形成された石膏ボード３４の側へ向けて縦壁４６が延出されており、底壁４０の幅方向他端部からは取付孔３６が形成された石膏ボード３４の側へ向けて縦壁４８が縦壁４６に対して平行に延出されている。このように、底壁４０に横壁４２、４４、縦壁４６、４８が形成されたコンセントボックス３８は全体的に取付孔３６が形成された石膏ボード３４の側へ向けて開口した箱形状とされている。
【００３１】
コンセントボックス３８の内周形状は概ね取付孔３６の内周形状と同じ形状とされており、箱形状とみなせるコンセントボックス３８はその開口端が取付孔３６を有する石膏ボード３４に当接して、コンセントボックス３８の内周の位置と取付孔３６とが略一致した状態で両石膏ボード３４の間に配置されている。以上の構成のコンセントボックス３８の開口端には、１乃至複数のコンセントが装着された蓋体が取り付けられ、コンセントボックス３８の開口端が閉止される。
【００３２】
また、コンセントボックス３８を構成する横壁４２には円孔５０が形成されている。円孔５０には両石膏ボード３４の間を通る給電用のコード（図示省略）が通過して、その先端側がコンセントボックス３８の内側に引き込まれる。コンセントボックス３８の内側に引き込まれたコードの先端は、上記のコンセントの端子に電気的且つ機械的に接続される。
【００３３】
一方、縦壁４６の外側面には、磁石としてのマグネット５２が取り付けられている。マグネット５２は所謂永久磁石により厚さ方向が縦壁４６の厚さ方向に延びた矩形平板状に形成されている。このマグネット５２は自らの磁力によって縦壁４６に固定されている。縦壁４６に固定されたマグネット５２はスチールスタッド３０の横壁部２２に自らの磁力により固定されており、これにより、コンセントボックス３８はマグネット５２を介してスチールスタッド３０に支持されている。ここで、上記の取付孔３６はスチールスタッド３０の横壁部２２からマグネット５２の厚さ分だけ離間して形成されており、これにより、マグネット５２を横壁部２２に固定した状態で、コンセントボックス３８の内周の位置と取付孔３６とが略一致している。
【００３４】
＜第１の実施の形態の作用、効果＞
以上の構成の壁パネル１２では、コンセントボックス３８の取付位置が横壁部２２の近傍に設定され、コンセントボックス３８の取付位置に応じた取付孔３６が形成される。マグネット５２が縦壁４６に予め取り付けられたコンセントボックス３８が、壁パネル１２の外側から取付孔３６を通されて両石膏ボード３４の間にコンセントボックス３８が配置される。両石膏ボード３４の間に配置されたコンセントボックス３８はマグネット５２が自らの磁力でスチールスタッド３０の横壁部２２に吸着されることで、両石膏ボード３４の間における取付孔３６に対応した位置でコンセントボックス３８が固定される。
【００３５】
このように、本実施の形態では、ねじやボルト等の締結手段を用いなくても両石膏ボード３４の間の所定位置でコンセントボックス３８を固定できる。このため、ねじやボルト等の締結手段を用いた構成とは異なり、ねじやボルト等の締結作業が不要で、しかも、コンセントボックス３８を固定するにあたって、工具を用いなくてもよい。したがって、コンセントボックス３８の固定作業の作業効率が高く、コンセントボックス３８を極めて簡単に固定できる。
【００３６】
また、マグネット５２の磁力でコンセントボックス３８が横壁部２２に固定されるため、コンセントボックス３８を固定する際の、固定位置の微調整を簡単にできると共に、仮に、マグネット５２を横壁部２２に固定した状態で、コンセントボックス３８の固定位置が予め設定した固定位置に対してずれていたとしても、マグネット５２を横壁部２２や縦壁４６から取り外して適宜にコンセントボックス３８を移動させることで、簡単にコンセントボックス３８の位置を直すことができる。
【００３７】
さらに、本実施の形態では、所謂「下地材」を用いずに、マグネット５２を用いてコンセントボックス３８を横壁部２２に固定する構成であるため、下地材の固定作業も不要になり、この意味でもコンセントボックス３８の固定作業の作業効率を向上できる。
【００３８】
＜第２の実施の形態の構成＞
次に、本発明に係る下地材組付構造の一実施を第２の実施の形態として説明する。なお、本実施の形態を説明するにあたり、前記第１の実施の形態と基本的に同一の部位に関しては、同一の符号を付与してその詳細な説明を省略する。
【００３９】
図５には本実施の形態を適用したスチールハウス用の壁パネル７２の構成の要部を拡大した分解斜視図が示されており、図６には壁パネル７２の構成の要部を拡大した断面図が示されている。
【００４０】
これらの図に示されるように、壁パネル７２は石膏ボード３４を備えておらず、代わりに表面材としての化粧合板７４を備えている。化粧合板７４は薄板状の石膏ボードや木材により形成された平板材、更には、化粧板等の薄い板材やシート材を、スチールスタッド３０、３２の幅方向に一体的に積層することで形成されている。また、本壁パネル７２は下地材７６を備えている。下地材７６はスチールスタッド３０、３２の幅方向一方の側の化粧合板７４と他方の側の化粧合板７４との間に配置された下地ブラケット７８を備えている。下地ブラケット７８は全体的に強磁性の金属材料により形成されている。
【００４１】
また、下地ブラケット７８はブラケット基部８０を備えている。ブラケット基部８０は厚さ方向が一方の化粧合板７４と他方の化粧合板７４との対向方向に延びた矩形平板状に形成されており、その厚さ方向一方の面は一方の化粧合板７４の裏面（他方の化粧合板７４と対向する側の面）に当接している。また、スチールスタッド３０とスチールスタッド３２との対向方向に沿ったブラケット基部８０の両端部からは他方の化粧合板７４（ブラケット基部８０が当接していない方の化粧合板７４）へ向けて壁部８２が延出されている。
【００４２】
壁部８２の先端側における幅方向両端からは、それぞれ脚片８４が延出されている。さらに、各脚片８４の先端からは当接片８６が延出されている。これらの当接片８６が、他方の化粧合板７４（ブラケット基部８０が当接していない方の化粧合板７４）に当接している。また、上述したブラケット基部８０の他方の化粧合板７４の側には下地合板８８が設けられている。下地合板８８は、金属、合成樹脂材、木材等により形成された薄肉の板材を、ブラケット基部８０の厚さ方向に一体的に積層した状態でブラケット基部８０に一体的に固着することで形成されている。
【００４３】
また、各脚片８４の壁部８２の側、及び、各脚片８４の当接片８６の側には、磁石としてのマグネット９０が設けられている。マグネット９０は所謂永久磁石により厚さ方向が脚片８４の厚さ方向に沿った矩形平板状に形成されており、自らの磁力によって脚片８４に固定されている。スチールスタッド３０の側の脚片８４に固定されたマグネット９０は、スチールスタッド３０の横壁部２２に自らの磁力により固定されている。これに対して、スチールスタッド３２の側の脚片８４に固定されたマグネット９０は、スチールスタッド３２のウェブ１６に自らの磁力により固定されている。これにより、下地ブラケット７８はマグネット９０を介してスチールスタッド３０とスチールスタッド３２に支持されている。
【００４４】
ここで、スチールスタッド３０とスチールスタッド３２との対向方向に沿ったブラケット基部８０の寸法は、スチールスタッド３０の横壁部２２からスチールスタッド３２のウェブ１６までの寸法よりも、マグネット９０の厚さの２倍相等の寸法だけ短く設定されており、各脚片８４にマグネット９０を固定した状態でスチールスタッド３０とスチールスタッド３２との間に下地ブラケット７８を配置すると各マグネット９０の脚片８４とは反対側の面がスチールスタッド３０の横壁部２２やスチールスタッド３２のウェブ１６に接する。
【００４５】
以上の構成の下地ブラケット７８にはブラケット基部８０が接した化粧合板７４のブラケット基部８０とは反対側（すなわち、一方の化粧合板７４の外側）から備品としての吊下フック９２が装着される。吊下フック９２は外周部にねじ込み用のねじが形成された軸部９４を備えている。軸部９４の軸方向一端部には先端側へ向けて先細のテーパ部９６が形成されており、軸部９４のテーパ部９６とは反対側には上方へ向けて開口したＣ字形状のフック本体９８が形成されている。化粧合板７４及びブラケット基部８０をテーパ部９６及び軸部９４が通過することで壁パネル７２に取り付けられた吊下フック９２は、壁掛け時計等の所定重量以下の物品を引っ掛けることができる。
【００４６】
＜第２の実施の形態の作用、効果＞
本壁パネル７２では、ブラケット基部８０の側の化粧合板７４がランナ１４、２４、スチールスタッド２６、２８に取り付けられる前に、スチールスタッド３０とスチールスタッド３２との間に下地ブラケット７８が配置される。スチールスタッド３０とスチールスタッド３２との間に下地ブラケット７８を配置すると、スチールスタッド３０側の脚片８４に固定されたマグネット９０は、自らの磁力でスチールスタッド３０の横壁部２２に固定され、スチールスタッド３２側の脚片８４に固定されたマグネット９０は、自らの磁力でスチールスタッド３２のウェブ１６に固定される。
【００４７】
これにより、下地ブラケット７８がスチールスタッド３０とスチールスタッド３２との間の所定位置で固定される。このように、下地ブラケット７８が固定された状態で、ブラケット基部８０の側に位置する化粧合板７４がねじやボルト等の締結手段によりランナ１４、２４、スチールスタッド２６、２８に取り付けられ、化粧合板７４によりランナ１４、２４、スチールスタッド２６〜３２や、下地ブラケット７８が覆い隠される。このようにして形成された化粧合板７４には吊下フック９２が取り付けられる。
【００４８】
吊下フック９２は、裏面側にブラケット基部８０が位置する部分でテーパ部９６が化粧合板７４に突き刺される。この状態で、テーパ部９６及び軸部９４が化粧合板７４及びブラケット基部８０を貫通し、更に、下地合板８８をテーパ部９６及び軸部９４が貫通すると、吊下フック９２が化粧合板７４に装着される。このようにして化粧合板７４に装着された吊下フック９２は、ブラケット基部８０や下地合板８８を含む下地ブラケット７８に支持され、更には、下地ブラケット７８及びマグネット９０を介してスチールスタッド３０及びスチールスタッド３２に吊下フック９２が支持される。
【００４９】
ここで、本実施の形態では、スチールスタッド３０、３２の間において、スチールスタッド３０、３２の長手方向（すなわち、上下方向）に沿った所定位置で下地ブラケット７８が取り付けられるが、下地ブラケット７８は脚片８４に設けられたマグネット９０がスチールスタッド３０の横壁部２２やスチールスタッド３２のウェブ１６に磁力で固定される。このため、ねじやボルト等の締結手段を用いなくても下地ブラケット７８を固定できる。これにより、ねじやボルト等の締結手段を用いた構成とは異なり、ねじやボルト等の締結作業が不要で、しかも、下地ブラケット７８を固定するにあたり工具が不要である。したがって、下地ブラケット７８の固定作業の作業効率が高く、下地ブラケット７８を極めて簡単に固定できる。
【００５０】
さらに、下地ブラケット７８はスチールスタッド３０及びスチールスタッド３２の双方に支持されるため、スチールスタッド３０及びスチールスタッド３２の何れか一方にのみ下地ブラケット７８が支持される構成に比べて支持強度を高くできる。
【００５１】
また、マグネット９０の磁力で下地ブラケット７８がスチールスタッド３０、３２に固定されるため、下地ブラケット７８を固定する際の、固定位置の微調整を簡単にできると共に、仮に、マグネット９０を横壁部２２に固定した状態で、下地ブラケット７８の固定位置が予め設定した固定位置に対してずれていたとしても、マグネット９０をスチールスタッド３０の横壁部２２やスチールスタッド３２のウェブ１６から引き離して適宜に下地ブラケット７８を移動させることで、簡単に下地ブラケット７８の位置を直すことができる。
【００５２】
さらに、本実施の形態では、スチールスタッド３０とスチールスタッド３２との間に設けた下地ブラケット７８に吊下フック９２を固定し、下地ブラケット７８及びマグネット９０を介して間接的にマグネット９０をスチールスタッド３０、３２に支持させる構成である。このため、スチールスタッド３０、３２の長手方向に沿った吊下フック９２の取付位置が、下地ブラケット７８に対応していれば、基本的に、スチールスタッド３０とスチールスタッド３２との対向方向に沿った吊下フック９２の取付位置は自由に設定できる。
【００５３】
なお、以上の各実施の形態では、コンセントボックス３８や吊下フック９２を本発明で言う備品としたが、備品がコンセントボックス３８や吊下フック９２に限定されるものではなく、一般的にパネル材に取り付けられる構成のものであれば、あらゆるものが本発明で言う備品とすることができる。
【００５４】
さらに、以上の各実施の形態は、壁パネル１２や壁パネル７２に本発明を適用した構成であったが、本発明に係るパネル材への備品組付構造が適用されるパネル材が壁パネル１２や壁パネル７２に限定されるものではなく、例えば、天井パネル軒天等に本発明を適用してもよい。
【００５５】
また、第１の実施の形態ではマグネット５２が自らの磁力で縦壁４６に固定され、第２の実施の形態ではマグネット９０が自らの磁力で脚片８４に固定される構成であったが、縦壁４６や脚片８４に対してマグネット５２やマグネット９０が自らの磁力で固定されていなくてもよく、例えば、接着剤等でマグネット５２やマグネット９０を予め縦壁４６や脚片８４に固着しておいてもよい。
【００５６】
また、上記の各実施の形態では、縦壁４６や脚片８４とマグネット５２やマグネット９０とを別体で構成したが、例えば、コンセントボックス３８や下地材７６を合成樹脂材により成形すると共に、縦壁４６や脚片８４に永久磁石を埋設したり、コンセントボックス３８や下地材７６の成形時に縦壁４６や脚片８４に磁性粉末を混ぜ込み、縦壁４６や脚片８４を磁化したりする構成としてもよい。
【図面の簡単な説明】
【００５７】
【図１】本発明の第１の実施の形態を適用したパネル材（壁パネル）の要部を示す斜視図である。
【図２】本発明の第１の実施の形態を適用したパネル材（壁パネル）の要部を示す断面図である。
【図３】本発明の第１の実施の形態を適用したパネル材（壁パネル）の全体構成の概略を示す正面図である。
【図４】支持体の構成を示す斜視図である。
【図５】本発明の第２の実施の形態を適用したパネル材（壁パネル）の要部を示す斜視図である。
【図６】本発明の第２の実施の形態を適用したパネル材（壁パネル）の要部を示す断面図である。
【符号の説明】
【００５８】
１２    壁パネル（パネル材）
３０    スチールスタッド（支持体）
３２    スチールスタッド（支持体）
３４    石膏ボード（表面材）
３８    コンセントボックス（備品）
５２    マグネット（磁石）
７２    壁パネル（パネル材）
７４    化粧合板（支持体）
７６    下地材
９０    マグネット（磁石）
９２    吊下フック（備品）
【図１】
2007285034.tif 000003
【図２】
2007285034.tif 000004
【図３】
2007285034.tif 000005
【図４】
2007285034.tif 000006
【図５】
2007285034.tif 000007
【図６】
2007285034.tif 000008